(57)【要約】【課題】  各ネットワーク端末のＭＡＣアドレスと、それぞれの初期設定値を容易に登録することが可能なネットワーク管理サーバー、およびネットワーク管理方法を提供する【解決手段】  ネットワーク管理サーバー１に、ネットワーク端末の機種毎の初期設定項目とその属性を定義したテンプレートを読込み、ＭＡＣアドレス項目と初期設定項目をデータ項目とする管理データベース１６を作成する。また、管理データベース１６を登録端末データベースと未登録端末データベースで構成し、未登録のネットワーク端末から初期設定要求を受けるとそのＭＡＣアドレスを該当する未登録端末データベースに登録する。更に未登録端末データベースをＣＳＶ形式ファイルでエクスポートし、ＰＣにより初期設定のための設定値を書込み、ネットワーク管理サーバー１にインポートし、登録端末データベースに登録する。【選択図】        図２
2005050302.tif 000002
【特許請求の範囲】
【請求項１】
ネットワークに接続されたネットワーク管理サーバーと複数のネットワーク端末とから構成され、前記ネットワーク管理サーバーは各ネットワーク端末の初期設定のための初期設定値を記憶する管理データベースを備え、ネットワーク端末から送信されるＭＡＣアドレスと機種名を含む初期設定要求に基づいて、前記管理データベースから当該ＭＡＣアドレスに対応するネットワーク端末の初期設定値を読出して当該ネットワーク端末に送信するネットワーク管理サーバーであって、
前記ネットワーク管理サーバーは、前記ネットワーク端末の機種毎の初期設定項目とその属性を定義したテンプレートファイルを読込むテンプレート入力処理部を備えたことを特徴とする自動初期設定機能を有するネットワーク管理サーバー。
【請求項２】
前記テンプレートファイルにおける初期設定項目は、ネットワーク端末の機種単位でネットワーク端末によらない共通項目と、ネットワーク端末による特定項目に区分されていることを特徴とする請求項１に記載の自動初期設定機能を有するネットワーク管理サーバー。
【請求項３】
前記テンプレートファイルにおける初期設定項目は、前記属性に加えて更に共通項目か特定項目かを示すフラグ情報を付加するようにされたことを特徴とする請求項２に記載の自動初期設定機能を有するネットワーク管理サーバー。
【請求項４】
前記テンプレートファイルにおける初期設定項目は、更に、該設定項目を有効とするか無効とするかを示すフラグ情報を付加するようにされたことを特徴とする請求項２に記載の自動初期設定機能を有するネットワーク管理サーバー。
【請求項５】
前記ネットワーク管理サーバーは、表示部と、前記テンプレートファイルを表示部に表示する表示処理部を備え、前記表示処理部は、前記共通項目と特定項目をそれぞれ別の表示画面として表示することを特徴とする請求項２に記載の自動初期設定機能を有するネットワーク管理サーバー。
【請求項６】
前記ネットワーク管理サーバーは、データベース管理部を備え、テンプレート入力処理部から読込んだテンプレートファイルの初期設定項目および属性に基づいて、ＭＡＣアドレス項目と前記初期設定項目をデータ項目とする機種毎の登録端末データベースおよび未登録端末データベースを前記管理データベースに作成することを特徴とする請求項１に記載の自動設定機能を有するネットワーク管理サーバー。
【請求項７】
ネットワークに接続されたネットワーク管理サーバーと複数のネットワーク端末とから構成され、前記ネットワーク管理サーバーは各ネットワーク端末の初期設定のための初期設定値を記憶する管理データベースを備え、ネットワーク端末から送信されるＭＡＣアドレスと機種名を含む初期設定要求に基づいて、前記管理データベースから当該ＭＡＣアドレスに対応するネットワーク端末の初期設定値を読出して当該ネットワーク端末に送信するネットワーク管理サーバーであって、
前記管理データベースは、前記ネットワーク端末の機種毎に、ＭＡＣアドレスと前記初期設定項目をデータ項目とする登録端末データベースおよび未登録端末データベースを有し、
前記登録端末データベースに登録されていないネットワーク端末から初期設定要求を受けた場合、初期設定要求に含まれるＭＡＣアドレスを機種名に該当する前記未登録端末データベースに登録する初期設定要求処理部を備えたことを特徴とする自動初期設定機能を有するネットワーク管理サーバー。
【請求項８】
前記ネットワーク管理サーバーは、未登録端末データベースをエクスポートならびにインポート可能なデータ形式のファイルとして作成してエクスポートするファイル出力処理部を有することを特徴とする請求項７に記載の自動初期設定機能を有するネットワーク管理サーバー。
【請求項９】
前記ネットワーク管理サーバーは、初期設定のための設定値が書込まれた前記データ形式のファイルをインポートして前記登録端末データベースに登録するファイル入力処理部を備えたことを特徴とする請求項８に記載の自動初期設定機能を有するネットワーク管理サーバー。
【請求項１０】
ネットワークに接続されたネットワーク管理サーバーと複数のネットワーク端末とから構成され、前記ネットワーク管理サーバーは各ネットワーク端末の初期設定のための初期設定値を記憶する管理データベースを備え、ネットワーク端末から送信されるＭＡＣアドレスと機種名を含む初期設定要求に基づいて、前記管理データベースから当該ＭＡＣアドレスに対応するネットワーク端末の初期設定値を読出して当該ネットワーク端末に送信するネットワーク管理方法であって、
前記ネットワーク管理サーバーは、テンプレート入力処理部とデータベース管理部を備え、前記ネットワーク端末の機種毎の初期設定項目とその属性を定義したテンプレートファイルを読込む処理と、テンプレート入力処理部から読込んだテンプレートファイルの初期設定項目および属性に基づいて、ＭＡＣアドレス項目と前記初期設定項目をデータ項目とする機種毎の登録端末データベースおよび未登録端末データベースを前記管理データベースに作成する処理とを有することを特徴とするネットワーク管理方法。
【請求項１１】
前記テンプレートファイルにおける初期設定項目は、ネットワーク端末の機種単位でネットワーク端末によらない共通項目と、ネットワーク端末による特定項目に区分されていることを特徴とする請求項１０に記載のネットワーク管理方法。
【請求項１２】
前記テンプレートファイルにおける初期設定項目は、前記属性に加えて更に共通項目か特定項目かを示すフラグ情報を付加するようにされたことを特徴とする請求項１１に記載のネットワーク管理方法。
【請求項１３】
前記テンプレートファイルにおける初期設定項目は、更に、該設定項目を有効とするか無効とするかを示すフラグ情報を付加するようにされたことを特徴とする請求項１１に記載のネットワーク管理方法。
【請求項１４】
前記テンプレートファイルを表示部に表示する際、前記共通項目と特定項目をそれぞれ別の表示画面として表示するようにされたことを特徴とする請求項１１に記載のネットワーク管理方法。
【請求項１５】
ネットワークに接続されたネットワーク管理サーバーと複数のネットワーク端末とから構成され、前記ネットワーク管理サーバーは各ネットワーク端末の初期設定のための初期設定値を記憶する管理データベースを備え、ネットワーク端末から送信されるＭＡＣアドレスと機種名を含む初期設定要求に基づいて、前記管理データベースから当該ＭＡＣアドレスに対応するネットワーク端末の初期設定値を読出して当該ネットワーク端末に送信するネットワーク管理方法であって、
前記管理データベースは、前記ネットワーク端末の機種毎に、ＭＡＣアドレスと前記初期設定項目をデータ項目とする登録端末データベースおよび未登録端末データベースを有し、
前記登録端末データベースに登録されていないネットワーク端末から初期設定要求を受けた場合、初期設定要求に含まれるＭＡＣアドレスと機種名に基づいて該当する機種の未登録端末データベースに登録する処理を含むことを特徴とする自動初期設定機能を有するネットワーク管理方法。
【請求項１６】
前記ネットワーク管理方法は更に、前記未登録端末データベースを、エクスポートならびにインポート可能なデータ形式のファイルとして作成してエクスポートする処理と、初期設定のための設定値が書込まれた前記データ形式のファイルをインポートし、前記登録端末データベースに登録する処理とを含むことを特徴とする請求項１５に記載の自動初期設定機能を有するネットワーク管理方法。
【発明の詳細な説明】
【技術分野】
【０００１】
本発明は、自動初期設定機能を有するネットワーク管理サーバーおよびネットワーク管理方法に関するものであり、特に、ネットワークに接続されるネットワーク端末に初期設定のための初期設定値をダウンロードすることができるネットワーク管理サーバーおよびネットワーク管理方法に関するものである。
【背景技術】
【０００２】
近年の情報通信技術の発展により、ＬＡＮにコンピュータ等の端末機器を接続し、インターネットを介して他のＬＡＮに接続された端末機器、サーバー装置とグローバルに通信し、各種の情報処理を行うシステムが広く用いられている。例えば、コンピュータ間の情報通信だけでなくＩＰ電話としてコンピュータを機能させることもその１つである。
【０００３】
ＩＰ電話のようなネットワーク端末が接続されたネットワークシステムでは、ネットワーク端末の電源がオンされると、ネットワーク管理サーバーに対して自分のＭＡＣ（Media Access Control）アドレスを識別ＩＤとして送り、ネットワーク端末の初期設定要求を行い、初期設定を要求してきたネットワーク端末にネットワーク管理サーバーから初期設定のための初期値をダウンロードするネットワーク管理システムの形態をとるものが知られている。
【０００４】
このような形態のネットワーク管理システムでは、ネットワーク管理サーバーにネットワーク端末のＭＡＣアドレスとそのネットワーク端末の初期設定値（各種サーバーのＩＰアドレス、電話番号、その他の通信設定初期値）が登録されていれば、ネットワーク端末はネットワーク管理サーバーからそのネットワーク端末の初期設定値を取得して、自身の初期設定を行って通常動作、例えば、電話機としての動作を行うことができる。
【０００５】
ＭＡＣアドレスとは、ネットワークに接続されているネットワーク端末を特定するために使われるものであり、「イーサネット（登録商標）・アドレス」や「物理アドレス」、「ハードウェア・アドレス」などとも呼ばれている。ＭＡＣアドレスは、イーサネット（登録商標）・インターフェイスごとに割り当てられている番号で、１つのネットワーク端末が複数のイーサネット（登録商標）・インターフェイスを持つ場合は、それぞれのインターフェイスごとに異なるＭＡＣアドレスが割り当てられる。そして一般には４８ビット長のアドレスが使用され、各オクテットをコロンまたはハイフンで区切った１６進数で表記される。このＭＡＣアドレスは「物理アドレス」であり、ＩＰアドレスのようにソフトにより変更可能なアドレスとは異なり、ハードウェア毎に割り当てられるユニークなアドレスである。
【０００６】
ネットワーク端末の初期設定の方法としてはいくつかの方法が提案されており、例えば、下記の特許文献１（特開平２００３−２３４２４号公報）には、ネットワーク機器（ネットワーク端末）の通信パラメータを比較的簡単に、かつ、セキュリティーを維持したまま初期設定する設定方法およびシステムが開示されている。
【０００７】
上記、特許文献１に開示されたシステムは、ネットワークに接続された管理対象装置と当該管理対象装置を管理する管理装置とからなるネットワークシステムであって、前記管理装置は、前記管理対象装置を前記ネットワーク上で通信可能にすると共に前記管理装置による前記管理対象装置の管理を可能にする通信パラメータをＩＣカードに格納する第１のＩＣカードドライブを有し、前記管理対象装置は、前記ＩＣカードに格納された前記通信パラメータを読取る第２のＩＣカードドライブを有し、読取られた前記通信パラメータを設定する管理対象装置とを有するネットワークシステムである。
【特許文献１】特開平２００３−２３４２４号公報（図１）
【発明の開示】
【発明が解決しようとする課題】
【０００８】
しかしながら、上記特許文献１に開示されたネットワークシステムは、ネットワーク端末の通信パラメータを初期設定するものであり、ネットワーク管理サーバーに対して自分のＭＡＣ（Media Access Control）アドレスをネットワーク端末の識別ＩＤとして送り、ネットワーク端末の初期設定要求を行い、要求してきたネットワーク端末にネットワーク管理サーバーから初期設定のための初期値をダウンロードするネットワーク管理システムに適用することはできない。
【０００９】
何故ならば、ネットワーク管理サーバーからネットワーク端末に初期設定のための初期値をダウンロードするには、ＤＨＣＰ(Dynamic Host Configuration Protocol)サーバーなどによりネットワーク端末における通信パラメータの設定がなされており、ネットワーク管理サーバーとネットワーク端末がＬＡＮ接続され、ネットワーク管理サーバーとネットワーク端末間で通信可能な状態であることが必要であるが、上記特許文献１のシステムは通信パラメータの設定を行うものであって、ネットワーク管理サーバーとネットワーク端末とがＬＡＮ接続できておらず、通信できない状態であるためである。
【００１０】
ネットワーク端末に通信パラメータ等の初期設定が完了していて、ネットワーク管理サーバーと通信できる状態であったとしても、ネットワーク端末がネットワーク管理サーバーから自分自身の初期設定値をダウンロードするためには、ネットワーク管理サーバーにネットワーク端末のＭＡＣアドレスを登録し、かつ、ネットワーク端末毎に初期設定のための初期値が登録されていることが必要である。この登録のためには、ネットワーク管理サーバーが備えるＧＵＩ（Graphical User Interface・通常はウエブブラウザなどを用いてネットワーク管理サーバーに接続して操作を行う）を用いてネットワーク管理者が個別に登録操作を行うことができる。
【００１１】
しかしながら、この方法は少数のネットワーク端末の登録を行う場合には手軽で便利な方法であるが、ネットワーク端末の数が膨大なＩＰ電話などの場合、あるいは、ネットワーク端末の種類毎に設定する初期設定項目数が多く、それぞれの設定値が異なる場合には、ネットワーク管理サーバーに、各ネットワーク端末のＭＡＣアドレスと、それぞれの初期設定のための設定値を登録する作業は膨大なものになり、ネットワーク管理者の負担が増大し、きわめて困難なものものになるという問題点があった。
【００１２】
本願の発明者は、上記の問題点を解消すべく種々検討を重ねた結果、ネットワーク管理サーバーに、ネットワーク端末の機種毎の初期設定項目とその属性を定義したテンプレートファイルを読込み、ＭＡＣアドレス項目と初期設定項目をデータ項目とする管理データベースを作成することにより、ネットワーク端末の機種毎の管理データベースを容易に作成可能であることに着目して本発明を完成するに至ったものである。
【００１３】
また、前記の管理データベースを、登録端末データベースと未登録端末データベースで構成し、登録端末データベースに登録されていないネットワーク端末から初期設定要求を受けた場合、初期設定要求に含まれるＭＡＣアドレスを機種名に該当する前記未登録端末データベースに登録するようになし、未登録端末データベースを、エクスポートならびにインポート可能なデータ形式のファイルとして作成してエクスポートし、パソコン（ＰＣ）により初期設定のための設定値を書込み、書込みをした前記データ形式のファイルをネットワーク管理サーバーにインポートし、前記登録端末データベースに登録することにより容易に初期設定値の登録が行えることを見出し本発明を完成するに至ったものである。
【００１４】
すなわち、本発明は上記の問題点を解決することを課題とし、各ネットワーク端末のＭＡＣアドレスと、それぞれの初期設定値を容易に登録することが可能なネットワーク管理サーバー、およびネットワーク管理方法を提供することを目的とする。
【課題を解決するための手段】
【００１５】
本発明の上記目的は以下の構成により達成することができる。すなわち、本願の請求項１にかかる発明は、ネットワークに接続されたネットワーク管理サーバーと複数のネットワーク端末とから構成され、前記ネットワーク管理サーバーは各ネットワーク端末の初期設定のための初期設定値を記憶する管理データベースを備え、ネットワーク端末から送信されるＭＡＣアドレスと機種名を含む初期設定要求に基づいて、前記管理データベースから当該ＭＡＣアドレスに対応するネットワーク端末の初期設定値を読出して当該ネットワーク端末に送信するネットワーク管理サーバーであって、
前記ネットワーク管理サーバーは、前記ネットワーク端末の機種毎の初期設定項目とその属性を定義したテンプレートファイルを読込むテンプレート入力処理部を備えたことを特徴とする。
【００１６】
また、本願の請求項２にかかる発明は、請求項１のネットワーク管理サーバーにおいて、前記テンプレートファイルにおける初期設定項目は、ネットワーク端末の機種単位でネットワーク端末によらない共通項目と、ネットワーク端末による特定項目に区分されていることを特徴とする。
【００１７】
また、本願の請求項３にかかる発明は、請求項２のネットワーク管理サーバーにおいて、前記テンプレートファイルにおける初期設定項目は、前記属性に加えて更に共通項目か特定項目かを示すフラグ情報を付加するようにされたことを特徴とする。
【００１８】
また、本願の請求項４にかかる発明は、請求項２のネットワーク管理サーバーにおいて、前記テンプレートファイルにおける初期設定項目は、更に、該設定項目を有効とするか無効とするかを示すフラグ情報を付加するようにされたことを特徴とする。
【００１９】
また、本願の請求項５にかかる発明は、請求項２のネットワーク管理サーバーにおいて、前記ネットワーク管理サーバーは、表示部と、前記テンプレートファイルを表示部に表示する表示処理部を備え、前記表示処理部は、前記共通項目と特定項目をそれぞれ別の表示画面として表示することを特徴とする。
【００２０】
また、本願の請求項６にかかる発明は、ネットワーク管理サーバーが、データベース管理部を備え、テンプレート入力処理部から読込んだテンプレートファイルの初期設定項目および属性に基づいて、ＭＡＣアドレス項目と前記初期設定項目をデータ項目とする機種毎の登録端末データベースおよび未登録端末データベースを前記管理データベースに作成することを特徴とする。
【００２１】
更に、本願の請求項７にかかる発明は、ネットワークに接続されたネットワーク管理サーバーと複数のネットワーク端末とから構成され、前記ネットワーク管理サーバーは各ネットワーク端末の初期設定のための初期設定値を記憶する管理データベースを備え、ネットワーク端末から送信されるＭＡＣアドレスと機種名を含む初期設定要求に基づいて、前記管理データベースから当該ＭＡＣアドレスに対応するネットワーク端末の初期設定値を読出して当該ネットワーク端末に送信するネットワーク管理サーバーであって、
前記管理データベースは、前記ネットワーク端末の機種毎に、ＭＡＣアドレスと前記初期設定項目をデータ項目とする登録端末データベースおよび未登録端末データベースを有し、
前記登録端末データベースに登録されていないネットワーク端末から初期設定要求を受けた場合、初期設定要求に含まれるＭＡＣアドレスを機種名に該当する前記未登録端末データベースに登録する初期設定要求処理部を備えたことを特徴とする。
【００２２】
また、本願の請求項８にかかる発明は、請求項７のネットワーク管理サーバーにおいて、前記ネットワーク管理サーバーは、未登録端末データベースをエクスポートならびにインポート可能なデータ形式のファイルとして作成してエクスポートするファイル出力処理部を有することを特徴とする。
【００２３】
更にまた、本願の請求項９にかかる発明は、請求項８のネットワーク管理サーバーにおいて、前記ネットワーク管理サーバーは、初期設定のための設定値が書込まれた前記データ形式のファイルをインポートして前記登録端末データベースに登録するファイル入力処理部とを備えたことを特徴とする。
【００２４】
また更に、本願の請求項１０にかかる発明は、ネットワークに接続されたネットワーク管理サーバーと複数のネットワーク端末とから構成され、前記ネットワーク管理サーバーは各ネットワーク端末の初期設定のための初期設定値を記憶する管理データベースを備え、ネットワーク端末から送信されるＭＡＣアドレスと機種名を含む初期設定要求に基づいて、前記管理データベースから当該ＭＡＣアドレスに対応するネットワーク端末の初期設定値を読出して当該ネットワーク端末に送信するネットワーク管理方法であって、
前記ネットワーク管理サーバーは、テンプレート入力処理部とデータベース管理部を備え、前記ネットワーク端末の機種毎の初期設定項目とその属性を定義したテンプレートファイルを読込む処理と、テンプレート入力処理部から読み込んだテンプレートファイルの初期設定項目および属性に基づいて、ＭＡＣアドレス項目と前記初期設定項目をデータ項目とする機種毎の登録端末データベースおよび未登録端末データベースを前記管理データベースに作成する処理とを有することを特徴とする。
【００２５】
本願の請求項１１にかかる発明は、請求項１０のネットワーク管理方法において、前記テンプレートファイルにおける初期設定項目は、ネットワーク端末の機種単位でネットワーク端末によらない共通項目と、ネットワーク端末による特定項目に区分されていることを特徴とする。
【００２６】
本願の請求項１２にかかる発明は、請求項１１のネットワーク管理方法において、前記テンプレートファイルにおける初期設定項目は、前記属性に加えて更に共通項目か特定項目かを示すフラグ情報を付加するようにされたことを特徴とする。
【００２７】
本願の請求項１３にかかる発明は、請求項１１のネットワーク管理方法において、前記テンプレートファイルにおける初期設定項目は、更に、該設定項目を有効とするか無効とするかを示すフラグ情報を付加するようにされたことを特徴とする。
【００２８】
本願の請求項１４にかかる発明は、請求項１１のネットワーク管理方法においてテンプレートファイルを表示部に表示する際、前記共通項目と特定項目をそれぞれ別の表示画面として表示するようにされたことを特徴とする。
【００２９】
また、本願の請求項１５にかかる発明は、ネットワークに接続されたネットワーク管理サーバーと複数のネットワーク端末とから構成され、前記ネットワーク管理サーバーは各ネットワーク端末の初期設定のための初期設定値を記憶する管理データベースを備え、ネットワーク端末から送信されるＭＡＣアドレスと機種名を含む初期設定要求に基づいて、前記管理データベースから当該ＭＡＣアドレスに対応するネットワーク端末の初期設定値を読出して当該ネットワーク端末に送信するネットワーク管理方法であって、
前記管理データベースは、前記ネットワーク端末の機種毎に、ＭＡＣアドレスと前記初期設定項目をデータ項目とする登録端末データベースおよび未登録端末データベースを有し、
前記登録端末データベースに登録されていないネットワーク端末から初期設定要求を受けた場合、初期設定要求に含まれるＭＡＣアドレスと機種名に基づいて該当する機種の未登録端末データベースに登録する処理を含むことを特徴とする。
【００３０】
更に、本願の請求項１６にかかる発明は、請求項１５のネットワーク管理方法において、前記ネットワーク管理方法は更に、前記未登録端末データベースを、エクスポートならびにインポート可能なデータ形式のファイルとして作成してエクスポートする処理と、初期設定のための設定値が書込まれた前記データ形式のファイルをインポートし、前記登録端末データベースに登録する処理とを含むことを特徴とする。
【発明の効果】
【００３１】
請求項１にかかる発明においては、ネットワーク管理サーバーは、ネットワーク端末の機種毎の初期設定項目とその属性を定義したテンプレートファイルを読込むテンプレート入力処理部を備えたものであるから、テンプレートファイルから読込んだ項目名を管理データベースの作成に容易に用いることができるようになる。
【００３２】
請求項２にかかる発明においては、テンプレートファイルの初期設定項目が、ネットワーク端末の機種単位でネットワーク端末によらない共通項目と、ネットワーク端末による特定項目に区分されているものであるから、共通項目の入力は機種単位で行い、特定項目の入力は端末単位で行うことができ、共通項目の入力作業が重複することなく、効率的に行うことができるようになる。
【００３３】
請求項３にかかる発明においては、テンプレートファイルの初期設定項目は、その属性に加えて更に共通項目か特定項目かを示すフラグ情報を付加するようにされているため、端末の機種毎に各初期設定項目がそれぞれ共通項目か特定項目かを、フラグ情報を入力して区別することができ、複数の機種の端末に対する共通項目、特定項目の区分け、管理を容易に行うことができるようになる。
【００３４】
請求項４にかかる発明においては、テンプレートファイルの初期設定項目は、更に、該設定項目を有効とするか無効とするかを示すフラグ情報を付加するようにされているため、設定の変更にあたり、複数の文字からなる設定内容をその都度入力することなく、有効、無効のフラグ情報を書き換えるだけで容易に有効から無効に、無効から有効に変更することができるようになる。例えば論理「１」を有効、論理「０」を無効とすれば「１」、「０」の入力だけで、有効または無効に設定することができる。
【００３５】
請求項５にかかる発明においては、ネットワーク管理サーバーは、表示処理部が共通項目と特定項目をそれぞれ別の表示画面として表示部に表示するものであるから、共通項目の入力と特定項目の入力が容易に識別でき、入力エラーを回避することができるようになる。
【００３６】
請求項６にかかる発明においては、テンプレート入力処理部から読込んだテンプレートファイルの初期設定項目および属性に基づいて、ＭＡＣアドレス項目と前記初期設定項目をデータ項目とする機種毎の登録端末データベースおよび未登録端末データベースを前記管理データベースに作成する。かかる構成によれば、テンプレートから読込んだ項目名に基づいて容易にネットワーク端末の管理データベースを作成することが可能となる。
【００３７】
請求項７にかかる発明においては、登録端末データベースに登録されていないネットワーク端末から初期設定要求を受けた場合、初期設定要求に含まれるＭＡＣアドレスを機種名に該当する前記未登録端末データベースに登録する初期設定要求処理部を備えたものである。かかる構成によれば、管理データベースに未登録のネットワーク端末のＭＡＣアドレスを極めて容易に該当する機種の未登録データベースに登録することができ、ネットワーク管理者の作業を軽減することができるようになる。
【００３８】
請求項８にかかる発明においては、ネットワーク管理サーバーは、未登録端末データベースをエクスポートならびにインポート可能なデータ形式のファイルとして作成してエクスポートするファイル出力処理部を有する。かかる構成によれば、未登録端末データベースの内容を容易にＰＣ等にエクスポートして利用することができるようになる。
【００３９】
請求項９にかかる発明においては、ネットワーク管理サーバーは、初期設定のための設定値が書込まれた前記データ形式のファイルをインポートして前記登録端末データベースに登録するファイル入力処理部を有する。かかる構成によれば、エクスポートした未登録端末データベースの内容に、容易に初期設定値を追加記録し、登録端末データベースにインポートすることができ、ネットワーク管理者のネットワーク端末毎の初期設定値の登録作業を大幅に軽減することができるようになる。
【００４０】
請求項１０にかかる発明においては、ネットワーク管理サーバーが、テンプレート入力処理部とデータベース管理部を備え、前記ネットワーク端末の機種毎の初期設定項目とその属性を定義したテンプレートファイルを読込む処理と、テンプレート入力処理部から読み込んだテンプレートファイルの初期設定項目および属性に基づいて、ＭＡＣアドレス項目と前記初期設定項目をデータ項目とする機種毎の登録端末データベースおよび未登録端末データベースを前記管理データベースに作成する処理とを行う。かかる方法となすことによって、機種毎のテンプレートファイルを読込むことで機種毎の登録端末データベース及び未登録端末データベースを作成・追加することができるので、容易に管理データベースを作成でき、端末の機種が増えてもテンプレートファイルの作成だけで対応することができるようになる。
【００４１】
請求項１１にかかる発明においては、テンプレートファイルにおける初期設定項目は、ネットワーク端末の機種単位でネットワーク端末によらない共通項目と、ネットワーク端末による特定項目に区分されているから、共通項目の入力は機種単位で行い、特定項目の入力は端末単位で行うことができ、共通項目の入力作業が重複することなく、効率的に行うことができるようになる。
【００４２】
請求項１２にかかる発明においては、テンプレートファイルの初期設定項目は、その属性に加えて更に共通項目か特定項目かを示すフラグ情報を付加するようにされているため、端末の機種毎に各初期設定項目がそれぞれ共通項目か特定項目かをフラグ情報を入力して区別することができ、複数の機種の端末に対する共通項目、特定項目の区分け、管理を容易に行うことができるようになる。
【００４３】
請求項１３にかかる発明においては、テンプレートファイルの初期設定項目は、更に、該設定項目を有効とするか無効とするかを示すフラグ情報を付加するようにされているため、設定の変更にあたり、複数の文字からなる設定内容をその都度入力することなく、有効、無効のフラグ情報を書き換えるだけで容易に有効から無効に、無効から有効に変更
することができるようになる。
【００４４】
請求項１４にかかる発明においては、ネットワーク管理サーバーは、表示処理部が共通項目と特定項目をそれぞれ別の表示画面として表示部に表示するものであるから、共通項目の入力と特定項目の入力が容易に識別でき、入力エラーを回避することができるようになる。
【００４５】
請求項１５にかかる発明においては、管理データベースが、ネットワーク端末の機種毎に、ＭＡＣアドレスと初期設定項目をデータ項目とする登録端末データベースおよび未登録端末データベースを有し、登録端末データベースに登録されていないネットワーク端末から初期設定要求を受けた場合、初期設定要求に含まれるＭＡＣアドレスと機種名に基づいて該当する機種の未登録端末データベースに登録する処理を含む。かかる構成となすことによって、ネットワーク管理サーバーは未登録端末から初期設定要求を受けた場合、未登録端末のＭＡＣアドレスと機種名を読取り、読取ったＭＡＣアドレスをその機種名の未登録端末データベースに自動登録できるので、キーボードなどを用いてＭＡＣアドレスの入力を行う必要が無くなり、ネットワーク管理者の作業を軽減することができるようになる。
【００４６】
請求項１６にかかる発明においては、未登録端末データベースを、エクスポートならびにインポート可能なデータ形式のファイルとして作成してエクスポートする処理と、初期設定のための設定値が書込まれた前記データ形式のファイルをインポートし、前記登録端末データベースに登録する処理とを含む。かかる構成となすことによって、膨大な数のネットワーク端末の初期設定値を方する管理データベースの作成、該管理データベースへの初期設定値の登録作業を効率的に行うことができ、ネットワーク管理者の作業負担を大きく軽減することができるようになる。
【００４７】
以上のように、本発明に係るネッワーク管理サーバー、ネットワーク管理方法によれば、ネットワーク管理サーバーは機種毎のテンプレートファイルを読込むことで機種毎の登録端末データベース及び未登録端末データベースを作成・追加することができるので、容易に管理データベースを作成でき、端末の機種が増えてもテンプレートファイルの作成だけで対応することができるという効果を奏する。
【００４８】
また、ネットワーク管理サーバーは未登録端末から初期設定要求を受けた場合、未登録端末のＭＡＣアドレスと機種名を読取り、読取ったＭＡＣアドレスをその機種名の未登録端末データベースに自動登録できるので、キーボードなどを用いてＭＡＣアドレスの入力を行う必要が無くなり、ネットワーク管理者の作業を軽減することができるという効果を発揮する。
【００４９】
更に、未登録端末データベースを例えばＣＳＶ形式ファイルでエクスポート、インポートできパソコンとの間で入出力することができるので、パソコン上のアプリケーション（Excelなど）の高機能な編集機能を利用し端末毎の初期設定値を入力することができ端末の登録の効率を上げることが出来るという効果を有する。
【００５０】
更にまた、本発明に係るネットワーク管理方法によれば、膨大な数のネットワーク端末の初期設定値を管理する管理データベースの作成、該管理データベースへの初期設定値の登録作業を効率的に行うことができ、ネットワーク管理者の作業負担を大きく軽減することが可能になる。
【発明を実施するための最良の形態】
【００５１】
以下、添付の図面を参照して本発明に係るネットワーク管理サーバーおよびネットワーク管理方法について詳細に説明する。図１は本発明に係るネットワーク管理方法が適用されるネットワークシステムの構成を示すブロック図である。このネットワークシステムは、ＬＡＮ（Local Area Network）に接続された複数のネットワーク端末２〜５と、これらのネットワーク端末２〜５の初期設定を自動的に行うためのネットワーク管理サーバー１とを有している。また、ＬＡＮにはネットワーク管理者が使用するパソコン（ＰＣ）６、ファイルサーバーやＷＥＢサーバーなどの各種サーバー７が接続されている。
【００５２】
以下の説明において、ネットワーク端末２〜５はＩＰ電話である場合を具体例として説明するが、ＩＰ電話以外のネットワーク端末であってもよいことはいうまでもない。
【００５３】
ネットワーク端末２〜４のＩＰ電話は機種がＡであり、ＭＡＣアドレスはそれぞれ、ＭＡＣ１、ＭＡＣ２、ＭＡＣ３が割り当てられ、ネットワーク端末５のＩＰ電話は機種がＢであり、ＭＡＣアドレスはＭＡＣ４が割り当てられており、通信パラメータの初期設定はそれぞれ完了しており、ネットワーク管理サーバー１との間で通信可能な状態にある。
【００５４】
ネットワーク端末２〜５がＩＰ電話として機能するためには、初期設定が必要である。初期設定の項目としては、例えば、電話番号、ネットワーク管理サーバー１にログインするためのユーザーＩＤ、パスワード、着信先に表示する表示名、外線、内線の着信音や着信メロディーなどがあり、また、ＩＰ電話の機種が異なれば、該当機種が備える各機能毎の初期値を設定する必要がある。
【００５５】
前述したように、この初期設定値はネットワーク管理サーバー１に登録し、ネットワーク端末２〜５が電源投入されると、ネットワーク端末２〜５からネットワーク管理サーバー１にログインして初期設定値をダウンロードすることによって自動的にネットワーク端末２〜５の初期設定が行われるようになっている。ネットワーク端末２〜５からネットワーク管理サーバー１に送信される初期設定要求はＭＡＣアドレスを含み、ネットワーク管理サーバー１はＭＡＣアドレスを識別ＩＤとして該当するネットワーク端末の初期設定値を送信する。
【００５６】
このような自動初期設定機能を行うためには、各ネットワーク端末２〜５毎にその初期設定の値をネットワーク管理サーバー１に登録する必要がある。この登録作業はネットワーク端末の台数が多い場合には膨大な作業になるが、本発明にかかるネットワーク管理サーバー１は、この登録作業を容易に行える構成となっている。図２はこのネットワーク管理サーバーの構成を示すブロック図である。
【００５７】
ネットワーク管理サーバー１は、ＬＡＮに接続されたネットワーク端末２〜５等と通信を行うネットワーク制御部９と、ネットワーク制御部９に接続されたテンプレート処理部１０、ファイル出力処理部１１、ファイル入力処理部１２、初期設定要求処理部１３を有する。また、ネットワーク管理サーバー１はデータベース管理部１４と各ネットワーク端末の初期設定値を記憶するための管理データベース１６を備えている。
【００５８】
管理データベース１６は、後述するように、登録されたネットワーク端末を管理し、また、その初期設定値を記憶するための登録端末データベースと、未登録のネットワーク端末を管理し、またその初期設定値を登録するために後述する手順で操作される未登録端末データベースが作成される。上記の各部はマイクロプロセッサからなるメイン制御部１５により制御される。
【００５９】
テンプレート入力処理部１０はネットワーク端末の機種毎の初期設定項目とその属性を定義したテンプレートファイルを読込み、初期設定項目名と属性情報を抽出しデータベース管理部１４に送る。データベース管理部１４は、テンプレートファイルの初期設定項目名および属性情報に基づいて、ＭＡＣアドレス項目と前記初期設定項目をデータ項目とする機種毎の登録端末データベースおよび未登録端末データベースを管理データベース１６に作成する。
【００６０】
テンプレートは、図３に示すように、ネットワーク端末の機種毎に初期設定の項目名と各項目の属性（テキスト、数値等のデータ形式）を定義した表形式のファイルである。図３は機種ＡとＢを例として示したものであるが、同様のテンプレートファイルが機種毎に用意される。この記述規則は一般的なものであり、項目名＝属性で記述される。例えば、「電話番号＝数値［１０桁］，必須項目」などのように記述されている。
【００６１】
図４は、データベース１６の構成を示す図であり、ネットワーク端末の機種毎に作成される登録端末データベースと未登録端末データベースとからなる。図４に示すように機種Ａに関する登録端末データベースと未登録端末データベースは同じ構成であり、ＭＡＣアドレス項目とテンプレートファイルに定義された初期設定項目をデータ項目とした構成である。機種Ｂについても同様である。
【００６２】
次に、ネットワーク管理者が機種Ａのネットワーク端末２（ＭＡＣアドレスＭＡＣ１）の初期設定値をデータベース１４に登録する場合について説明する。ネットワーク管理者はネットワーク管理サーバー１にログインし、ネットワーク管理サーバー１が備えるＧＵＩを操作し、機種名、ＭＡＣアドレス（ＭＡＣ１）、各初期設定項目の値（ａ、ｂ、ｃ）を入力する。すると、登録端末データベースには入力内容が記憶される。図５はこの状態の機種Ａの登録端末データベースを示す図である。
【００６３】
一方、ネットワーク管理サーバー１が、登録端末データベースに登録されていないネットワーク端末３、４から初期設定要求を受信した場合について説明する。ネットワーク端末３、４等からの初期設定要求にはネットワーク端末３、４のＭＡＣアドレス（ＭＡＣ２、ＭＡＣ３）と機種名（機種Ａ）を含んでおり、初期設定処理部１３はこの初期設定要求からネットワーク端末３、４のＭＡＣアドレスと機種名を抽出し、機種Ａの未登録端末データベースのＭＡＣアドレス項目にＭＡＣアドレスＭＡＣ２、ＭＡＣ３を自動登録する。
【００６４】
他の機種のネットワーク端末についても機種毎の未登録データベースに同様の処理を行う。すなわち、機種Ｂの未登録のネットワーク端末（ＭＡＣ４）から初期設定要求があった場合、機種Ｂの未登録端末データベースのＭＡＣアドレス項目にＭＡＣアドレスＭＡＣ４を自動登録する。
【００６５】
図６はこの状態の未登録端末データベースを示す図であり、ＭＡＣアドレス以外の初期設定項目の値はブランクである。
【００６６】
この未登録端末データベースは、ネットワーク管理者がネットワーク管理サーバー１からエクスポートして、ＭＡＣアドレス以外の初期設定項目の設定値を書込み、ネットワーク管理サーバー１に再びインポートして登録端末データベースに登録することができる。以下にこの手順を説明する。
【００６７】
ネットワーク管理者はネットワーク管理サーバー１にログインし、ネットワーク管理サーバー１が備えるＧＵＩを操作し、図６に示すＭＡＣアドレスだけが記録された機種Ａや機種Ｂの未登録端末データベースをエクスポート可能なファイル形式、例えば、ＣＳＶ形式などのファイル形式で出力する指示を行うと、ファイル出力処理部１１は、未登録端末データベースの内容をＣＳＶ（Comma Separated Value）形式のファイル形式に変換し、ＬＡＮに接続されたネットワーク管理者のパソコン（ＰＣ）６にダウンロードする。
【００６８】
ネットワーク管理者はパソコン６で、ネットワーク管理サーバー１からエクスポート（ダウンロード）されたＣＳＶ形式のファイルを開き、各ネットワーク端末３、４の初期設定項目の場所に初期設定値を書込む。例えば、ネットワーク端末３の初期設定値は項目名順にｄ、ｅ、ｆであり、ネットワーク端末４の初期設定値は項目名順にｇ、ｈ、ｉである。
【００６９】
この初期設定値を書込んだ表は図７に示すようなものとなる。その後、ＣＳＶ形式のファイルに変換し、ネットワーク管理サーバー１に入力（インポート）指示してアップロードすると、ファイル入力処理部１２はアップロードされたＣＳＶ形式のファイルのデータをデータベース管理部１４に送り、データベース管理部１４は、このデータを機種Ａや機種Ｂの登録端末データベースに追加し、ネットワーク端末２〜４の初期設定値を追加する（登録する）。この状態の登録端末データベース、未登録端末データベースを図８に示す。
【００７０】
そして、ＣＳＶ形式のファイルに記述されているＭＡＣアドレスが未登録端末データベースに存在している分について、データベース管理部１４は、機種Ａや機種Ｂの未登録端末データベースからその分のデータを削除して登録操作が終了する。この状態の登録端末データベース、未登録端末データベースを図９に示す。
【００７１】
図１０は以上の処理手順を示すフローチャートであり、（ａ）は登録データベースおよび未登録データベースを作成する手順、（ｂ）はネットワーク端末の初期設定要求の処理手順、（ｃ）はネットワーク端末の初期設定値を登録する手順をそれぞれ示すフローチャートである。
【００７２】
図１０（ａ）のフローチャートにおいて、先ず、ネットワーク管理者はステップＳ１０でネットワーク管理サーバー１にネットワーク端末の機種毎の初期設定項目とその属性を定義したテンプレートファイル（図３参照）の読込みを行わせる。テンプレート入力処理部１０はステップＳ１１で読込んだテンプレートファイルから初期設定項目名と属性情報を抽出しデータベース管理部１４に送り、データベース管理部１４は、テンプレートファイルの初期設定項目名および属性情報に基づいて、ＭＡＣアドレス項目と前記初期設定項目をデータ項目とする機種毎の登録端末データベースを管理データベース１６中に作成する（図４参照）。データベース管理部１４はステップＳ１２でステップＳ１１と同様にして未登録端末データベースを管理データベース中に作成する（図４参照）。ステップＳ１３で、全ての機種のテンプレートの処理を終えると終了し、そうでなければステップＳ１０に戻る。
【００７３】
図１０（ｂ）のフローチャートにおいて、ネットワーク管理サーバー１がステップＳ２０でネットワーク端末から初期設定要求（ＭＡＣアドレスと機種名を含む）を受信すると、ステップＳ２１で初期設定要求処理部１３は初期設定要求に含まれるＭＡＣアドレスに基づいてデータベース管理部１４を介してそのネットワーク端末が登録端末データベースに登録されているかをチェックし、未登録であれば、該当する機種の未登録データベースのＭＡＣアドレス項目にそのＭＡＣアドレスを登録（図６参照）して処理を終了する。登録済みであれば、初期設定要求処理部１３はＭＡＣアドレスおよび機種名に基づいてステップＳ２３で、データベース管理部１４を介して登録端末データベース（図５参照）から該当するネットワーク端末の初期設定値を読出し、ネットワーク制御部９、ＬＡＮを介して該当するネットワーク端末に送信して処理を終了する。
【００７４】
図１０（ｃ）のフローチャートにおいて、先ず、ネットワーク管理者は、ネットワーク管理サーバー１にログインし、ステップＳ３０でネットワーク管理サーバー１が備えるＧＵＩを操作し、ＭＡＣアドレスだけが登録された機種毎の未登録端末データベース（図６参照）をエクスポート可能なファイル形式（ＣＳＶ形式など）で出力する指示を行う。ファイル出力処理部１１は、未登録端末データベースの内容をＣＳＶ形式のファイル形式に変換し、ＬＡＮに接続されたネットワーク管理者のパソコン（ＰＣ）６にダウンロードする。
【００７５】
次にステップＳ３１で、ネットワーク管理者はパソコン６で、ネットワーク管理サーバー１からエクスポート（ダウンロード）されたＣＳＶ形式のファイルを開き、各ネットワーク端末の初期設定値を書込む（図７参照）。そして初期設定値を書込んだ表を、ステップＳ３２でＣＳＶ形式のファイルに変換し、ネットワーク管理サーバー１に入力（インポート）指示してアップロードする。すると、ファイル入力処理部１２はアップロードされたＣＳＶ形式のファイルのデータをデータベース管理部１４に送り、データベース管理部１４は、このデータを機種毎の登録端末データベースに追加し、ネットワーク端末２〜４の初期設定値を追加する（図８参照）
ステップＳ３３において、ファイル入力処理部１２は初期設定値を登録端末データベースに登録したネットワーク端末のＭＡＣアドレスを未登録端末データベースから削除する（図９参照）。そしてステップＳ３４において全機種の未登録端末の処理が完了していなければ、ステップＳ３０に戻り、完了していれば処理を終了する。もちろん、上記の処理は全ての機種の未登録端末データベースを一度に処理することもでき、その場合はステップＳ３４の処理はスキップすることができる。
【００７６】
テンプレートファイルの初期設定項目は、電話番号、ネットワーク管理サーバー１にログインするためのユーザーＩＤ、パスワード、着信先に表示する表示名、外線、内線の着信音や着信メロディーなどの他、ネットワーク管理サーバーとネットワーク端末との間のネットワークの各種設定項目があり、また、ネットワーク端末であるＩＰ電話の機種が異なれば、該当機種が備える各機能毎の初期設定項目があり、機種によって異なる初期設定項目が存在する。そこで、初期設定項目をネットワーク端末の機種単位でネットワーク端末によらない共通の内容を設定する共通項目と、ネットワーク端末による個別の内容を設定する特定項目に区分することによって、ネットワーク管理者の入力作業において、共通項目の入力は機種単位で行い、特定項目の入力は端末単位で行うことができ、共通項目の入力作業が重複することなく、効率的に入力作業を行えるようにする。
【００７７】
図１１は、テンプレートファイルの項目構成を示す図であり、共通項目は「ｃｏｍｍｏｎ」が付してある項目であり、それ以外は特定項目である。このテンプレートファイル構成は、呼制御サーバーとしてＳＩＰ（Ｓｅｓｓｉｏｎ  Ｉｎｉｔｉａｔｉｏｎ  Ｐｒｏｔｏｃａｌ）サーバーを使用した場合におけるネットワーク端末の設定項目の一部を示したものである。共通項目としては、例えば、ＳＩＰサーバーのドメインネームやプロキシおよびそのポート番号などであり、特定項目としては、例えば、プライマリライン、外線番号、ユーザーＩＤ、パスワードなどである。従ってフラグ情報として「ｃｏｍｍｏｎ」を入力すればその設定項目を共通項目とすることができ、ネットワーク環境の変更等に柔軟に対応することができる。
【００７８】
このテンプレートファイルは、ネットワーク管理者がＷＥＢブラウザソフトを使いネットワーク管理サーバーにログインし、編集対象の機種、テンプレートファイル名を指定して該当するテンプレートファイルを表示して編集することができる。図１２はログイン後に表示される作業選択画面である。この画面により機種名登録、共通項目入力、特定項目入力、ＣＳＶ出力、バックアップ、リストア、ＭＡＣ読込み、ログアウト等の作業を選択する。
【００７９】
機種名登録が選択されると、図１３に示す登録画面が表示され、機種名を入力して「追加」ボタンを操作することによって該当機種のテンプレートファイル（図１１参照）が登録される。登録時点ではテンプレートファイルの各項目にはデフォルト値が設定されておりテンプレートファイル名が付され、また、登録順にＮｏ．（項番）が付される。「参照」ボタンを操作することによりファイル名を参照でき、更新の際には「更新」ボタンを操作する。
【００８０】
図１２の作業項目選択画面で共通項目入力が選択されると、図１４の共通項目設定画面が表示され、「機種名選択」欄をスクロールして機種名を選択すると該当する機種の共通項目だけがレイアウトされた入力欄が表示される。ネットワーク管理者はこの画面の設定欄に所要の設定事項を入力する。図１４は設定欄への入力が完了した状態を示している。この入力画面には、各設定項目に対して「有効」「無効」を示すフラグ欄が設けてあり、このフラグ欄にチェック入力を行うことにより設定した項目を「有効」にすることができる。従って、設定の変更にあたり、複数の文字からなる設定内容をその都度入力することなく、有効、無効のフラグ情報を書き換えるだけで容易に有効から無効に、無効から有効に変更することができるようになる。
【００８１】
図１２の作業項目選択画面で特定項目入力が選択されると、図１５の特定項目設定画面が表示され、「機種名選択」欄をスクロールして機種名を選択すると該当する機種の特定項目設定欄と入力ライン（入力フィールド）が表示される、特定項目としては、ネットワーク端末のＭＡＣアドレス、電話番号（Ｐｒｉｍａｒｙ）、グループ、ＩＰアドレスであり、図１５は入力ラインにこれらの設定値が入力されている状態を示しており、「追加」ボタンを操作すると、入力ラインに入力された設定値が特定項目設定欄に追加される。
【００８２】
所望のネットワーク端末に対する特定項目の設定を更新する場合には、特定項目設定欄に表示されている端末を選択して、入力ラインに更新すべき設定値を入力し、「更新」ボタンを操作することによって行う。「エクスポート」ボタンを操作することによって初期値が設定されている特定項目設定データを作業のために他のコンピュータにエクスポートすることができる。この時のデータ形式は、例えば、ＣＳＶファイル形式である。また、他のコンピュータにエクスポートして、入力作業を行ったＣＳＶファイルを「インポート」ボタンを操作してインポートすることができる。また、検索対象を指定し、入力欄に検索条件を設定し「検索」ボタンを操作することにより、所望のネットワーク端末の特定項目設定値を検索して特定項目設定欄に表示し、更新あるいは削除等を行うこともできる。
【００８３】
図１６は、以上のような作業画面を表示するネットワーク管理サーバーの構成を示すブロック図である。図１６のネットワーク管理サーバーは、基本的には図２のネットワーク管理サーバーと同じ構成であるが、図２のネットワーク管理サーバーには図示されていなかった表示部１７が図示されており、ネットワーク管理者がＷＥＢブラウザソフトを使いネットワーク管理サーバーにログインし、編集対象の機種、テンプレートファイル名を指定して該当するテンプレートファイルを表示部１７に表示して編集することができる。
【００８４】
表示処理部１８は、表示部１７に表示した作業項目選択画面において選択された作業に対応する登録画面や入力画面を表示する処理を行う。表示処理部１８は、共通項目入力または特定項目入力の作業が選択された場合には、図１４の共通項目入力画面、図１５の特定項目入力画面に示すようにそれぞれ別の入力画面として表示部１８に表示する。従ってネットワーク管理者は、作業対象の設定項目のみを画面上で視認することができ、入力の煩雑さが軽減され、入力ミスを低減することができる。なお、テンプレート出力処理部１９はテンプレートをエクスポート処理する処理部である。
【図面の簡単な説明】
【００８５】
【図１】本発明のネットワーク管理方法が適用されるネットワークシステムの構成を示す図である。
【図２】ネットワーク管理サーバーの概略構成を示すブロック図である。
【図３】テンプレートの構成を示すデータ構成図である。
【図４】管理データベースの構成を示す図である。
【図５】初期設定値登録時における登録端末データベースの状態を示す図である。
【図６】未登録のネットワーク端末から初期設定要求があった場合の未登録端末データベースの状態を示す図である。
【図７】初期設定値が書込まれたエクスポートファイルの例を示す図である。
【図８】登録端末データベースに初期設定値がインポートされた状態を示す図である。
【図９】初期設定値が登録端末データベースに登録され、未登録端末データベースから削除された状態を示す図である。
【図１０】データベースの作成および初期設定値の登録処理手順を示すフローチャートであり、（ａ）は登録データベースおよび未登録データベースを作成する手順、（ｂ）はネットワーク端末の初期設定要求の処理手順、（ｃ）はネットワーク端末の初期設定値を登録する手順を示す。
【図１１】テンプレートファイルの初期設定項目の構成を示す図である。
【図１２】ネットワーク管理者が初期設定作業をする際の作業項目選択画面を示す図である。
【図１３】ネットワーク端末の機種を登録する際の登録画面を示す図である。
【図１４】共通項目の入力を行う際の共通項目入力画面を示す図である。
【図１５】特定項目の入力を行う際の特定項目入力画面を示す図である。
【図１６】ネットワーク管理サーバーの他の構成を示すブロック図である。
【符号の説明】
【００８６】
１  ネットワーク管理サーバー
２  ネットワーク端末（ＩＰ電話／ＭＡＣ１：機種Ａ）
３  ネットワーク端末（ＩＰ電話／ＭＡＣ２：機種Ａ）
４  ネットワーク端末（ＩＰ電話／ＭＡＣ３：機種Ａ）
５  ネットワーク端末（ＩＰ電話／ＭＡＣ４：機種Ｂ）
６  パソコン
７  各種サーバー
９  ネットワーク制御部
１０  テンプレート入力処理部
１１  ファイル出力処理部
１２  ファイル入力処理部
１３  初期設定要求処理部
１４  データベース管理部
１５  メイン制御部
１６  データベース
【図１】
2005050302.tif 000003
【図２】
2005050302.tif 000004
【図３】
2005050302.tif 000005
【図４】
2005050302.tif 000006
【図５】
2005050302.tif 000007
【図６】
2005050302.tif 000008
【図７】
2005050302.tif 000009
【図８】
2005050302.tif 000010
【図９】
2005050302.tif 000011
【図１０】
2005050302.tif 000012
【図１１】
2005050302.tif 000013
【図１２】
2005050302.tif 000014
【図１３】
2005050302.tif 000015
【図１４】
2005050302.tif 000016
【図１５】
2005050302.tif 000017
【図１６】
2005050302.tif 000018